(57)【特許請求の範囲】
【請求項１】
パウチ本体に取り付けられる取付部と、取付部の上部に設けられ外周面にネジ部を有する注出口筒部と、を含むパウチ用注出口本体と、
頂板部と、頂板部の下部において注出口筒部のネジ部にはまりあうネジ部を内面に有するスカート部と、スカート部の下部であってスカート部の外形よりも大きな外形を有するスカート裾部と、を有するキャップ本体と、
を備えるパウチ用注出口具に装着可能で、シートから形成されるパウチ用表示具であって、
少なくとも１つの表示部と、
表示部が下方側となるように表示部の端縁から折り曲げ可能に延設された装着部と、  
装着部に設けられ、スカート部が挿入可能にスカート部の外形に対応する開口を有し、スカート裾部に対し上方側から押えるように開口の一部を引っ掛けることが可能な差込孔部と、
表示部または装着部に設けられ、スカート裾部の下端に対し下方側から押し上げるように引っ掛けることが可能な係止部と、
を備えることを特徴とするパウチ用表示具。
【請求項２】
請求項１に記載のパウチ用表示具において、
表示部は、装着部を上部として、その両側から下方側にそれぞれ折り曲げ可能に設けられる第１表示部と第２表示部から構成され、
係止部は、差込孔部の第１表示部の側の内径縁に設けられる凸状係止片であり、
差込孔部は、第２表示部の側の内径縁において、スカート裾部に対し上方側から押えるように引っ掛けることが可能であり、
第２表示部に設けられ、注出口筒部に係合可能に切り欠かれた切欠孔部を備えることを特徴とするパウチ用表示具。
【請求項３】
請求項１に記載のパウチ用表示具において、
表示部は、装着部を上部として、その両側から下方側にそれぞれ折り曲げ可能に設けられる第１表示部と第２表示部から構成され、
係止部は、第１表示部または第２表示部の少なくとも一方に設けられる凸状係止片であることを特徴とするパウチ用表示具。
【発明の詳細な説明】
【技術分野】
【０００１】
本発明は、パウチ用表示具に係り、特に、パウチ用注出口本体とキャップ本体とを備えるパウチ用注出口具に装着可能なパウチ用表示具に関する。
【背景技術】
【０００２】
従来、ボトル容器を店頭に陳列した際のアイキャッチ効果等を向上させるため等のために、そのボトル容器の首部に表示具を取付けることが行われている。そのような表示具は、ボトルネッカーと呼ばれることがある。
【０００３】
例えば、特許文献１には、ボトル容器に取り付けた際に両側から見え、またボトル容器自体に設けられる表示が隠れない表示具として、所定の絵柄等を印刷した１枚の板紙を打ち抜いて、中央の差込パネルの両側にそれぞれ折罫を介して同じサイズの折曲げパネルを連接し、さらにこの折曲げパネルの外側に折罫を介して同じサイズの表示パネルを連接し、差込パネルにボトル容器の首部が挿入可能な差込み孔が設けられる構成が開示されている。
【０００４】
【特許文献１】特開２００２−５５６１１号公報
【発明の開示】
【発明が解決しようとする課題】
【０００５】
上記のように、容器の首部に表示具を取り付けるために、表示用の薄板に孔を設け、その孔を容器の首部に通して容器に取り付けるものが用いられている。容器にキャップが設けられている場合には、表示具に設けられた孔をキャップに通すことになる。この場合、表示具は単にキャップに通されているだけで、キャップに係合されているわけではないので、キャップの外し防止機能を有していない。
【０００６】
本発明の目的は、キャップに係合してキャップが外されることを防止できるパウチ用表示具を提供することである。
【課題を解決するための手段】
【０００７】
本発明に係るパウチ用表示具は、パウチ本体に取り付けられる取付部と、取付部の上部に設けられ外周面にネジ部を有する注出口筒部と、を含むパウチ用注出口本体と、頂板部と、頂板部の下部において注出口筒部のネジ部にはまりあうネジ部を内面に有するスカート部と、スカート部の下部であってスカート部の外形よりも大きな外形を有するスカート裾部と、を有するキャップ本体と、を備えるパウチ用注出口具に装着可能で、シートから形成されるパウチ用表示具であって、少なくとも１つの表示部と、表示部が下方側となるように表示部の端縁から折り曲げ可能に延設された装着部と、装着部に設けられ、スカート部が挿入可能にスカート部の外形に対応する開口を有し、スカート裾部に対し上方側から押えるように開口の一部を引っ掛けることが可能な差込孔部と、表示部または装着部に設けられ、スカート裾部の下端に対し下方側から押し上げるように引っ掛けることが可能な係止部と、を備えることを特徴とする。
【０００８】
また、本発明に係るパウチ用表示具において、表示部は、装着部を上部として、その両側から下方側にそれぞれ折り曲げ可能に設けられる第１表示部と第２表示部から構成され、係止部は、差込孔部の第１表示部の側の内径縁に設けられる凸状係止片であり、差込孔部は、第２表示部の側の内径縁において、スカート裾部に対し上方側から押えるように引っ掛けることが可能であり、第２表示部に設けられ、注出口筒部に係合可能に切り欠かれた切欠孔部を備えることが好ましい。
【０００９】
また、本発明に係るパウチ用表示具において、表示部は、装着部を上部として、その両側から下方側にそれぞれ折り曲げ可能に設けられる第１表示部と第２表示部から構成され、係止部は、第１表示部または第２表示部の少なくとも一方に設けられる凸状係止片であることが好ましい。
【発明の効果】
【００１０】
上記構成により、パウチ用注出口本体とキャップ本体とを備えるパウチ用注出口具に装着可能なパウチ用表示具は、キャップ本体のスカート部が挿入可能にスカート部の外形に対応する開口を有し、スカート部の下部のスカート裾部に対し上方側から押えるように開口の一部を引っ掛けることが可能な差込孔部が装着部に設けられ、スカート裾部の下端に対し下方側から押し上げるように引っ掛けることが可能な係止部が表示部または装着部に設けられる。これにより、キャップ本体の上方側と下方側とが、パウチ用表示具の差込孔部の開口の一部と凸状係止片とによって挟まれるように引っ掛けられるので、キャップ本体に係合してキャップ本体が外されることを防止できる。
【００１１】
また、パウチ用表示具において、係止部は、差込孔部の第１表示部の側の内径縁に設けられる凸状係止片であり、差込孔部は、第２表示部の側の内径縁において、スカート裾部に対し上方側から押えるように引っ掛けることが可能であり、第２表示部に設けられ、注出口筒部に係合可能に切り欠かれた切欠孔部を備える。これにより、キャップ本体の上方側と下方側とが、パウチ用表示具の差込孔部の内径縁と凸状係止片とによって挟まれるように引っ掛けられるので、キャップ本体に係合してキャップ本体が外されることを防止することができる。また、切欠孔部が注出口筒部に係合可能であるので、キャップ本体の上方側と下方側とが、パウチ用表示具の差込孔部の内径縁と凸状係止片とによって挟まれるようにしっかりと引っ掛けられる。
【００１２】
また、パウチ用表示具において、係止部は、第１表示部または第２表示部の少なくとも一方に設けられる凸状係止片であるので、キャップ本体の上方側と下方側とが、パウチ用表示具の差込孔部の開口の一部と凸状係止片とによって挟まれるように引っ掛けられるので、キャップ本体に係合してキャップ本体が外されることを防止することができる。
【発明を実施するための最良の形態】
【００１３】
以下に図面を用いて本発明に係る実施の形態につき詳細に説明する。以下では、パウチ用表示具として、プラスチックシートを加工したものとして説明するが、プラスチック以外の材質のシートを用いるものとしてもよい。例えば、紙材シート、金属シート等で、印刷等で適当な表示を行えるものであってもよい。また、以下では、キャップ本体が、頂板部と、スカート部と、スカート部の下部であるスカート裾部とを有し、パウチ表示具がキャップ本体のスカート裾部で引っ掛けられるものとし、スカート裾部は、スカート部の下部で広がる部分であるスカート下部広がり部と、その下端に弱化部を介して一体的に成形されるタンパーエビデントバンドとを備えるものとして説明するが、これは一例である。例えば、スカート裾部がタンパーエビデントバンドを備えない構成であってもよい。この場合は、スカート下部広がり部がスカート裾部となり、パウチ表示具はかかるスカート裾部に引っ掛けられることになる。
【００１４】
最初に、パウチ用表示具が装着される対象であるパウチ容器２、特にパウチ用注出口具６の構造について説明する。図１はパウチ容器２の正面図、図２はパウチ容器２の側面図、図３は、パウチ容器２の構成要素であるパウチ用注出口具６の構成を示す図である。
【００１５】
パウチ容器２は、袋体４にパウチ用注出口具６が設けられたもので、例えば、レトルト食品、飲料、健康飲料、薬品等を収容する容器である。袋体４は、パウチ本体に相当し、遮光性、気密性等を確保できるフィルムで構成される。例えば、プラスチック層及び金属層の多層構造のフィルムを用いて袋体４が作られる。パウチ用注出口具６は、袋体４の内容物を取り出す取出口に相当するもので、パウチ用注出口本体８と、キャップ本体１２とによって構成される。
【００１６】
パウチ用注出口本体８は、パウチ本体である袋体４に取り付けられる取付部９と、取付部９の上部に設けられ外周面にネジ部を有する注出口筒部１０とを含み、貫通穴を有して構成される。取付部９は、適当な接合方法によって液体が漏れないように、気体が通らないように、袋体４としっかり接合される。接合方法としては、例えば熱圧着を用いることができる。注出口筒部１０は、取付部９が袋体４と接合されたときに、袋体４の外側に突き出る部分で、いわゆる口栓部に相当する。なお、口栓部はストロー部と呼ばれることもある。
【００１７】
キャップ本体１２は、頂板部１７と、頂板部１７の下部において注出口筒部１０のネジ部にはまりあうネジ部を内面に有するスカート部１８と、スカート部１８の下部であってスカート部１８の外形よりも大きな外形を有するスカート裾部１６とを含んで構成される。スカート部１８は、ユーザが指でキャップ本体１２を回すときに摘む部分で、回すのに便利なように外周に凹凸の刻みが設けられる。
【００１８】
スカート裾部１６は、キャップ本体１２においてスカート部１８の下部に配置される部分である。図３の例では、スカート裾部１６は、スカート部１８の下部において下方に向かって、スカート下部広がり部１９と、弱化部１５と、タンパーエビデントバンド１４とがこの順序に配置されている。スカート下部広がり部１９は、スカート部１８の下部において、下方に向かって末広がり状に外形が次第に大きくなっている部分であり、その下端には、弱化部１５を介してタンパーエビデントバンド１４が接続されている。
【００１９】
弱化部１５とは、ユーザがキャップ本体１２をタンパーエビデントバンド１４に対して回転、あるいはねじったときに、容易に破損して両者を分離することができるように、キャップ本体１２をタンパーエビデントバンド１４との間を断続的に接続している部分のことである。したがって、ユーザがパウチ容器２においてキャップ本体１２を開けたときには、この弱化部１５が破損し、再びもとの状態に戻すことができないので、開封したことが目視等で容易に認識可能となる。
【００２０】
スカート下部広がり部１９は、例えばフランジ形状のようにスカート部１８から明確に区別された形状として形成してもよく、あるいは、上記のように、スカート部１８の下部をやや大きめとすることでもよい。弱化部１５とタンパーエビデントバンド１４の外径とは、スカート下部広がり部１９の最大外径とほぼ同じとすることができる。この場合には、スカート裾部１６の外径は、スカート下部広がり部１９、弱化部１５、タンパーエビデントバンド１４にわたって、ほぼ同じ外径となる。
【００２１】
スカート部１８とスカート裾部１６とは、後述するように、パウチ用表示具の差込孔部を引っ掛ける機能を有する部分であるので、この引っ掛かりを有効にする程度の大きさの差がスカート部１８とスカート裾部１６との間に設けられればよい。例えば、スカート部１８を円筒形として、スカート裾部１６の外径は、スカート部１８の外径より約１ｍｍ程度以上大きいものとすることができる。いずれにせよ、スカート部１８の下部で、スカート部１８よりも外形の大きな部分をスカート裾部１６と呼ぶことにする。
【００２２】
タンパーエビデントバンド１４の内面側には、一方向にのみ回転可能なラッチ爪が設けられている。これに対応してパウチ用注出口本体８の注出口筒部１０の外周には係合爪１１が設けられる。キャップ本体１２は、それ自体が単独で製造される部品であり、これを、注出口筒部１０に対し回転可能な一方向に回転させると、スカート部１８の内面のネジ部が注出口筒部１０のネジ部と噛み合って下方向に、つまり係合爪１１の方向に、キャップ本体１２を進めることができる。さらに回転を進めると、タンパーエビデントバンド１４の内面のラッチ爪が注出口筒部１０の外周の係合爪１１に係合させることができる。
【００２３】
このようにして、キャップ本体１２をパウチ用注出口本体８の注出口筒部１０に取り付けられる。この状態からユーザが逆方向にキャップ本体１２を回転させると、タンパーエビデントバンド１４はラッチ爪と係合爪１１の作用により、逆方向の回転が阻止されるので、キャップ本体１２がタンパーエビデントバンド１４に対して相対的に回転されることになる。そこで、上記のように、弱化部１５において破損が生じ、キャップ本体１２がタンパーエビデントバンド１４から分離し、開封が行われる。
【００２４】
次に、このパウチ容器２に取り付けられるパウチ用表示具について説明する。図４と図５は、片側表示型のパウチ用表示具２０について、パウチ容器２に取付けた様子を示す図で、図４はパウチ容器２の正面から見た様子を示す図、図５は、パウチ容器２の側面から見た様子を示す図である。図６はこのパウチ用表示具２０の平面図である。図７は、このパウチ用表示具２０をパウチ容器２に取り付ける手順の様子を説明する図である。
【００２５】
これらの図において、図１から図３と同様の要素には同一の符号を付し詳細な説明を省略する。また、以下では、図１から図３の符号を用いて説明する。なお、パウチ用表示具２０は、実際には、パウチ容器２の内容物等についての宣伝内容、注意書き等が印刷されているが、その取付の様子を説明するため、印刷内容の図示を省略し、あたかも透明な材料で構成されているかのように、パウチ容器２が見えるように図示した。これはあくまで説明の便宜のためである。なお、以下の図では、キャップ本体１２の構成要素のうち、スカート部１８とタンパーエビデントバンド１４について符号を付し、その他については符号を付すことを省略した。なお、図１、図３に関連して説明したように、以下において、スカート裾部１６とは、スカート下部広がり部１９と弱化部１５とタンパーエビデントバンド１４を含む全体を指す。そこで、以下において、スカート裾部１６の上方面とは、スカート下部広がり部１９の上方面に相当し、タンパーエビデントバンド１４の下端とは、スカート裾部１６の下端に相当し、タンパーエビデントバンド１４の下方面とは、スカート裾部１６の下方面に相当することになる。
【００２６】
片側表示型のパウチ用表示具２０は、図４、図５に示すように、パウチ容器２のパウチ用注出口具６に取り付けられる表示具で、具体的にはキャップ本体１２に取り付けられる表示具で、薄いプラスチックシートを折り曲げたものである。図６の平面図に示されるように、パウチ用表示具２０は、ほぼ矩形のプラスチック薄板に折曲溝部２３，２５を設け、この２つの折曲溝部２３，２５によって、装着部２２と、第１表示部２６、第２表示部２４とに仕切られる。片側表示型というのは、この２つの表示部のうち、第２表示部２４は、パウチ容器２の注出口筒部１０に回されて係止されるのに用いられるので、表示面積が余り取れず、もっぱら第１表示部２６によって表示が行われるためである。
【００２７】
プラスチック薄板としては、表示印刷に適し、適当な剛性を有するプラスチック材料のシート材を用いることができる。プラスチック材料としては、ポリエチレンテレフタレート等のポリエステル系樹脂、ポリプロピレンやポリエチレン等のポリオレフィン系樹脂、ポリスチレン、ポリ塩化ビニール等を用いることができる。板厚としては、例えば、約０．２ｍｍから約１ｍｍ程度のものを用いることができる。
【００２８】
折曲溝部２３，２５は、プラスチック薄板の折り曲げを容易にするために板厚を局部的に薄くするために設けられる直線的な溝である。溝幅と溝深さは、プラスチック薄板の板厚に応じて適当に設定することができる。
【００２９】
装着部２２は、２本の折曲溝部２３，２５に挟まれた部分で、パウチ用表示具２０がパウチ容器２に取り付けられたときに、パウチ容器２のキャップ本体１２の周囲に装着される部分に相当する。具体的には、図４、図５に示すように、キャップ本体１２を上方に向けてパウチ容器２を立てたとき、パウチ容器２の正面の上部に横方向に沿って延び、あたかもパウチ容器２の肩部に設けられる部分である。
【００３０】
装着部２２の中央部に設けられる差込孔部３０は、パウチ用表示具２０をパウチ容器２のキャップ本体１２に取り付けるための孔である。差込孔部３０は、略円形の孔であって、パウチ容器２のキャップ本体１２のスカート部１８を通すことができる程度の大きさの開口を有する。そして、その孔の内径を差し渡す一方側の内径の縁部３２は、後述するように、スカート裾部１６の上方面を上方から押えるように引っ掛けることができる上方係止部の機能を有する。また、孔の内径を差し渡す他方側において内径を狭くするように一部張り出して形成される凸状係止片３４は、後述するように、タンパーエビデントバンド１４の下方面を下方から押し上げるように引っ掛けることができる下方係止部となる。
【００３１】
先に第２表示部２４を説明すると、第２表示部２４は、折曲溝部２３によって装着部２２と仕切られる部分で、装着部２２を上部として、その一方側の端部から下方側に折り曲げ可能に設けられる部分である。また、パウチ用表示具２０がパウチ容器２に取り付けられたとき、パウチ容器２の裏側に配置される部分に相当する。ここで裏側とは、例えば、パウチ容器２を陳列台等に並べるときに陳列台の奥側に向かう側のことで、ユーザの視線を受けない側のことである。なお、第２表示部２４には、狭い面積であるが、表示印刷部２９を設けることができる。
【００３２】
第２表示部２４の中央部に設けられる切欠孔部３６は、ほぼ矩形形状の穴である。切込線３８は、切欠孔部３６を外部と接続するためのもので、これによって、第２表示部２４は、図６の紙面上で左側部と右側部とを相対的に動かすことができ、切欠孔部３６にパウチ容器２の注出口筒部１０をはめ込むことができる。すなわち、後述のように、この切欠孔部３６は、上方係止部である差込孔部３０の内径の縁部３２をキャップ本体１２の外形に押し当てるように引っ掛けながら第２表示部２４をパウチ容器２の袋体４の側にさらに折り曲げたときに、タンパーエビデントバンド１４の下部の注出口筒部１０に引っ掛けることができる切欠形状の容器係止部に相当する。
【００３３】
第１表示部２６は、折曲溝部２５によって装着部２２と仕切られる部分で、装着部２２を上部として、その他方側の端部から下方側に折り曲げ可能に設けられる部分である。また、パウチ用表示具２０がパウチ容器２に取り付けられたとき、パウチ容器２の正面側、つまり表側に配置される部分に相当する。ここで表側とは、例えば、パウチ容器２を陳列台等に並べるときに陳列台の表側に向かう側のことで、ユーザの視線を受ける側のことである。第１表示部２６には、広い面積で表示印刷部２８が設けられる。
【００３４】
かかる構成のパウチ用表示具２０をパウチ容器２に取り付ける様子を、図７を用いて説明する。図７（ａ）は、パウチ用表示具２０の断面図、図７（ｂ）は、パウチ用表示具２０をパウチ容器２に取り付ける途中の状態を示す図、図７（ｃ）は、パウチ用表示具２０がパウチ容器２に取り付けられた状態を示す図で、図４と同じ内容を示す図である。
【００３５】
最初に、プラスチック薄板をプレス加工等で所定の形状としたパウチ用表示具２０を準備する。そして、図７（ａ），（ｂ）に示されるように、差込孔部３０を、パウチ容器２のキャップ本体１２に被せる。
【００３６】
このとき、図７（ｂ）に示されるように、スカート裾部１６をパウチ用表示具２０が完全には通過しないようにして、下方係止部である凸状係止片３４をタンパーエビデントバンド１４の下にくぐらせる。このときに、上方係止部である差込孔部３０の内径の縁部３２は、スカート裾部１６の上方側に残されている。したがって、スカート裾部１６の上方面の上側にはパウチ用表示具２０の上方係止部である差込孔部３０の内径の縁部３２が配置され、タンパーエビデントバンド１４の下方面の下側にパウチ用表示具２０の下方係止部である凸状係止片３４が配置されている。つまり、キャップ本体１２は、スカート裾部１６の上からとタンパーエビデントバンド１４の下からと、パウチ用表示具２０によって上下に挟まれている状態となっている。
【００３７】
次に、図７（ｃ）に示されるように、パウチ用表示具２０の第２表示部２４を図６で説明した折曲溝部２３に沿って折り曲げ、さらにパウチ容器２の注出口筒部１０側に折り曲げて、切欠孔部３６を注出口筒部１０に引っ掛けるようにして固定する。
【００３８】
これによって、パウチ用表示具２０の装着部２２における差込孔部３０の内径を差し渡す一方側の内径の縁部３２は上方係止部として、スカート裾部１６の上方面を上方から押えるようにしっかりと引っ掛けられる。また、差込孔部３０の内径を差し渡す他方側において内径を狭くするように一部張り出して形成される凸状係止片３４は、タンパーエビデントバンド１４の下方面を下方から押し上げるように引っ掛けられる。そして、差込孔部３０の内径を差し渡す一方側において折り曲げられる第２表示部２４に設けられる切欠孔部３６は、上方係止部である差込孔部３０の内径の縁部３２をキャップ本体１２の外形に押し当てるように引っ掛けながら第２表示部２４を注出口筒部１０側にさらに折り曲げたときに、タンパーエビデントバンド１４の下部の注出口筒部１０に引っ掛けられる。
【００３９】
このようにして、パウチ容器２のキャップ本体１２のスカート裾部１６の上方側と下方側とが、パウチ用表示具２０の差込孔部３０の内径の一部と舌状形状の部分とによって挟まれるようにしっかりと引っ掛けられるので、パウチ容器２からキャップ本体１２が外されることを防止することができる。これによって、簡単な構成により少ない材料費で、イタズラ等によってキャップ本体１２が開封されることを防止し、また、幼児等によってキャップ本体１２が外され、誤飲されること等を防止できる。
【００４０】
図８と図９は、両側表示型のパウチ用表示具５０について、パウチ容器２に取付けた様子を示す図で、図８は、パウチ容器２の正面から見た様子を示す図、図９は、パウチ容器２の側面から見た様子を示す図である。図１０は、このパウチ用表示具５０の平面図である。図１１は、このパウチ用表示具５０をパウチ容器２に取り付ける手順の様子を説明する図である。
【００４１】
これらの図は、片側表示型のパウチ用表示具２０における図４から図７のそれぞれ対応するものである。そこで、これらの図において、図４から図７における同様の要素には同一の符号を付し、詳細な説明を省略する。また、これらの図においても、同様の要素には同一の符号を付した。また、パウチ用表示具５０について、その取付の様子を説明するため、印刷内容の図示を省略し、あたかも透明な材料で構成されているかのように、パウチ容器２が見えるように図示することも図４から図７の場合と同様である。
【００４２】
両側表示型のパウチ用表示具５０は、図８、図９に示すように、パウチ容器２のキャップ本体１２に取り付けられる表示具で、薄いプラスチックシートを折り曲げたものであることは、片側表示型のパウチ用表示具２０と同様である。図１０の平面図に示されるように、パウチ用表示具５０は、ほぼ矩形のプラスチック薄板に折曲溝部６０，６１，６２，６３を設け、この４つの折曲溝部６０，６１，６２，６３によって、装着部５２と、第１表示部５６、第２表示部５４とに仕切られる。両側表示型というのは、この２つの表示部の両方とも、十分な広さの表示面積の表示印刷部が設けられ、パウチ容器２の表側および裏側の双方側から、宣伝広告等の表示が行われるためである。プラスチック薄板の材料としては、片側表示型のパウチ用表示具２０で説明したものを同様に用いることができる。
【００４３】
折曲溝部６０，６１，６２，６３は、プラスチック薄板の折り曲げを容易にするために板厚を局部的に薄くするために設けられる溝である。溝幅と溝深さは、プラスチック薄板の板厚に応じて適当に設定することができる。
【００４４】
折曲溝部６０，６１，６２，６３は、それぞれの配置位置、配置方向が異なるのみで、基本的には同じ構成である。そこで、ここでは、一対の折曲溝部６０，６２についてその内容を説明する。なお、もう一対の折曲溝部６１，６３も同じ内容である。
【００４５】
一対の折曲溝部６０，６２は、上記のように、パウチ用表示具５０において、装着部５２と、第１表示部５６、第２表示部５４とに仕切るように配置される溝である。一対の折曲溝部６０，６２は、図１０の紙面において、パウチ用表示具５０の左端から、装着部５２の中央部に設けられる差込孔部７０に向かって、最初は互いの間の間隔距離を一定として平行に配置され、差込孔部７０に近づくと互いの間の間隔距離を狭くするようにして差込孔部７０の手前まで配置される。
【００４６】
一対の折曲溝部６０，６２の間の間隔距離は、次のように設定されることが好ましい。すなわち、平行に配置されているときの一対の折曲溝部６０，６２の間の間隔距離は、後述する差込孔部７０の内径よりも大きく設定する。そして、差込孔部７０に近づいて次第に間隔距離が狭くなるときの一対の折曲溝部６０，６２の間の間隔距離は、後述する一対の凸状係止片７６，７８の向かい合う辺の間の間隔距離よりも小さく設定する。１つの目安は、平行に配置されているときの間隔距離を一対の凸状係止片７６，７８の向かい合う辺の間の間隔距離と同じとすることである。このように設定することで、差込孔部７０に近づいて次第に間隔距離が狭くすると、そのときの一対の折曲溝部６０，６２の間の間隔距離は、一対の凸状係止片７６，７８の向かい合う辺の間の間隔距離よりも小さくできる。
【００４７】
そして、一対の折曲溝部６０，６２は、差込孔部７０の手前で止まり、差込孔部７０の内径形状までは延びない。図１０の例では、一対の凸状係止片７６，７８の配置のすぐ手前まで延びてそこでとめられる。同様に、もう一対の折曲溝部６１，６３も、差込孔部７０の手前で止まり、差込孔部７０の内径形状までは延びない。したがって、差込孔部７０と一対の凸状係止片７６，７８との間には折曲溝部６０，６１，６２，６３はいずれも配置されない。
【００４８】
これによって、差込孔部７０と一対の凸状係止片７６，７８との間には、プラスチック薄板がその板厚のままで残されて、細長い接続部６４，６６となっている。この細長い接続部６４，６６には、溝部が形成されていないので、プラスチック薄板がその板厚全体で変形することとなり、差込孔部７０の周囲が強度的にしっかりしたものとなっている。そのために、差込孔部７０をキャップ本体１２に被せたとき、スカート裾部１６の上方面をしっかりと上方から押えることができる。
【００４９】
装着部５２は、折曲溝部６０，６１，６２，６３に挟まれた部分で、図６で説明した装着部２２と同様の機能を有する部分である。装着部５２の中央部に設けられる差込孔部７０は、パウチ用表示具５０をパウチ容器２のキャップ本体１２に取り付けるための孔である。差込孔部７０は、略円形の孔であって、パウチ容器２のキャップ本体１２のスカート部１８を通すことができ、スカート裾部１６を通すことができない大きさの開口を有する。すなわち、差込孔部７０の内径は、スカート裾部１６の外径よりも小さく、スカート部１８の外径とほぼ同じに設定される。なお、差込孔部７０は、スカート部１８を通すときやや塑性変形してもよい。
【００５０】
第１表示部５６は、折曲溝部６２，６３によって装着部５２と仕切られる部分であり、第２表示部５４は、折曲溝部６０，６１によって装着部５２と仕切られる部分である。ここで、装着部５２を上部として、第１表示部５６と第２表示部５４とは、装着部５２の両側から下方側にそれぞれ折り曲げ可能に設けられる。なお、第１表示部５６には、表示印刷部５８が設けられ、第２表示部５４には、表示印刷部５９が設けられる。
【００５１】
第１表示部５６において、差込孔部７０に近接して設けられる凸状係止片７８は、
「コ」の字状の切り込みによって形成される片持ち板である。すなわち、差込孔部７０に面し、折曲溝部６２，６３が直線的に延びる部分の延伸する方向に平行な平行切込線部と、この切込線部からほぼ直角に曲がってこの切込線部の両側にそれぞれ延びる２つの直交切込線部とによって形成され、切込線のない部分を支点として、図７において紙面に垂直な方向に片持ち板として移動可能な部分である。なお、切り込みの形状は、この舌状係止片がタンパーエビデントバンドの下端で引っ掛かることができる形状であればよく、例えば「Ｕ」の字状の切り込みであってもよい。
【００５２】
第２表示部５４において差込孔部７０に近接して設けられる凸状係止片７６も、第１表示部５６における凸状係止片７８と同様の内容を有する片持ち板である。
【００５３】
凸状係止片７６，７８は、後述するように、パウチ用表示具５０をパウチ容器２のキャップ本体１２に取付けたときに、タンパーエビデントバンド１４の下方面を下方から押し上げるように引っ掛けることができる下方係止部に相当する。
【００５４】
そして、下方係止部である凸状係止片７６，７８が設けられる位置にそれぞれ対応する差込孔部７０の内径の縁部７２，７４は、スカート裾部１６の上方面を上方から押えるように引っ掛けることができる上方係止部として機能する。つまり、差込孔部７０は、キャップ本体１２に被せられるときの孔であるとともに、スカート裾部１６の上方面を上方から押えるように機能する。上記のように、差込孔部７０と一対の凸状係止片７６，７８の間の接続部６４，６６によって、スカート裾部１６の上方面をより一層しっかりと上方から押えることができる。
【００５５】
かかる構成のパウチ用表示具５０をパウチ容器２に取り付ける様子を、図１１を用いて説明する。図１１（ａ）は、パウチ用表示具５０の断面図、図１１（ｂ）は、パウチ用表示具５０をパウチ容器２に取り付ける途中の状態を示す図、図１１（ｃ）は、パウチ用表示具５０がパウチ容器２に取り付けられた状態を示す図で、図９と同じ内容を示す図である。
【００５６】
最初に、プラスチック薄板をプレス加工等で所定の形状としたパウチ用表示具５０を準備する。そして、図１１（ａ），（ｂ）に示されるように、差込孔部７０を、パウチ容器２のキャップ本体１２に被せる。
【００５７】
このとき、図１０に関連して説明したように、差込孔部７０の内径を、スカート裾部１６の外径よりも小さく、スカート部１８の外径とほぼ同じに設定される。なお、差込孔部７０は、スカート部１８を通すときやや塑性変形してもよい。こうすることで、図１０で説明した接続部６４，６６の機能によって、パウチ用表示具５０は、しっかりと、スカート裾部１６の上方面の上面に留まる。
【００５８】
次に、図１１（ｃ）に示されるように、パウチ用表示具５０の凸状係止片７６，７８を、タンパーエビデントバンド１４の下にくぐらせる。このときに、パウチ用表示具５０の差込孔部７０の周囲部分は、スカート裾部１６の上方面に残されたままである。つまり、差込孔部７０の上方係止部である差込孔部７０の内径の縁部７２，７４は、スカート裾部１６の上方側に残されている。したがって、スカート裾部１６には、その上方面の上側にパウチ用表示具５０の上方係止部である差込孔部７０の内径の縁部７２，７４が配置され、タンパーエビデントバンド１４には、その下方面の下側にパウチ用表示具５０の下方係止部である凸状係止片７６，７８が配置されている。つまり、キャップ本体１２についてみると、スカート裾部１６の上からと下からと、パウチ用表示具５０によって上下に挟まれている状態となっている。
【００５９】
このように、差込孔部７０を挟んで差込孔部７０の両側にそれぞれ設けられる凸状係止片７６，７８は、下方係止部として機能し、タンパーエビデントバンド１４の下方面を下方から押し上げるように引っ掛けられる。また、下方係止部である凸状係止片７６，７８が設けられる位置にそれぞれ対応する差込孔部７０の内径の縁部７２，７４は上方係止部として機能し、スカート裾部１６の上方面を上方から押えるように引っ掛けられる。
【００６０】
このようにして、パウチ容器２のキャップ本体１２の上方側と下方側とが、パウチ用表示具５０の差込孔部７０の内径縁と凸状係止片７６，７８とによって挟まれるようにしっかりと引っ掛けられるので、パウチ容器２からキャップ本体１２が外されることを防止することができる。これによって、簡単な構成により少ない材料費で、イタズラ等によってキャップ本体１２が開封されることを防止し、また、幼児等によってキャップ本体１２が外され、誤飲されること等を防止できる。
【図面の簡単な説明】
【００６１】
【図１】本発明に係る実施の形態のパウチ用表示具が装着されるパウチ容器の正面図である。
【図２】図１のパウチ容器の側面図である。
【図３】図１、図２のパウチ容器の構成要素であるパウチ用注出口具の構成を示す図である。
【図４】本発明に係る実施の形態の片側表示型のパウチ用表示具について、パウチ容器に取付けたときに正面から見た様子を示す図である
【図５】本発明に係る実施の形態の片側表示型のパウチ用表示具について、パウチ容器に取付けたときに側面から見た様子を示す図である。
【図６】本発明に係る実施の形態の片側表示型のパウチ用表示具の平面図である。
【図７】本発明に係る実施の形態の片側表示型のパウチ用表示具をパウチ容器に取り付ける手順の様子を説明する図である。
【図８】本発明に係る実施の形態の両側表示型のパウチ用表示具について、パウチ容器に取付けたときに正面から見た様子を示す図である
【図９】本発明に係る実施の形態の両側表示型のパウチ用表示具について、パウチ容器に取付けたときに側面から見た様子を示す図である。
【図１０】本発明に係る実施の形態の両側表示型のパウチ用表示具の平面図である。
【図１１】本発明に係る実施の形態の両側表示型のパウチ用表示具をパウチ容器に取り付ける手順の様子を説明する図である。
【符号の説明】
【００６２】
２  パウチ容器、４  袋体、６  パウチ用注出口具、８  パウチ用注出口本体、９  取付部、１０  注出口筒部、１１  係合爪、１２  キャップ本体、１４  タンパーエビデントバンド、１５  弱化部、１６  スカート裾部、１７  頂板部、１８  スカート部、１９  スカート下部広がり部、２０，５０  パウチ用表示具、２２，５２  装着部、２３，２５，６０，６１，６２，６３  折曲溝部、２４，５４  第２表示部、２６，５６  第１表示部、２８，２９，５８，５９  表示印刷部、３０，７０  差込孔部、３２，７２，７４  差込孔部の内径の縁部（上方係止部）、３４，７６，７８  凸状係止片（下方係止部）、３６  切欠孔部、３８  切込線、６４，６６  接続部。
【図１】
0005087421.tif 000002
【図２】
0005087421.tif 000003
【図３】
0005087421.tif 000004
【図４】
0005087421.tif 000005
【図５】
0005087421.tif 000006
【図６】
0005087421.tif 000007
【図７】
0005087421.tif 000008
【図８】
0005087421.tif 000009
【図９】
0005087421.tif 000010
【図１０】
0005087421.tif 000011
【図１１】
0005087421.tif 000012